(57)【特許請求の範囲】
【請求項１】
積揚の左右の前端部にそれぞれ形成した左右の腕木間に渡されるように設けられる前框を取り付けるためのグランドピアノの前框の取付構造であって、
前記左右の腕木の後ろ側に、両端部を前記積揚の左右の前部に固定したピン板が左右方向に延びるように設けられ、このピン板にフレームが固定されているとともに、
前記前框の下部に、後方および下方に開口する切欠が、長さ方向に連続的に延びるように形成され、前記前框は、前記切欠に嵌合した前記ピン板の前端部に載置された状態で、接着および／または下方からのねじ止めによって前記ピン板の前端部に固定されているとともに、両端部が前記左右の腕木の背面にねじ止めされていることを特徴とするグランドピアノの前框の取付構造。
【発明の詳細な説明】
【０００１】
【発明の属する技術分野】
本発明は、左右の腕木間に渡されるように設けられるグランドピアノの前框の取付構造に関する。
【０００２】
【従来の技術】
前框は、積揚の前端部に形成した左右の腕木間に渡されるように設けられ、グランドピアノのケースの一部を構成するとともに、積揚やフレームなどに連結されることで、弦の張力を支持するバック機構の一部を構成するものである。図６および図７は、前框の従来の一般的な取付構造を示している。前框５１は、左右方向に延びる１枚のラワン合板などで構成されており、両図に示すように、その左右の両端部を積揚５２に載せた状態で、それらの上隅部を後方からのねじ５４で各腕木５３の背面にねじ止めすることによって、取り付けられている（一方のみ図示）。この場合、前框５１の下部を積揚５２に対して位置決めするために、両者５１、５２の所定位置にそれぞれ形成されたダボ穴５１ａ、５２ａと、これらに係合するダボ５５とが用いられる。
【０００３】
また、前框５１の後ろ側には、積揚５２の左右の前部間に渡され、固定されたピン板５６と、その上に固定されたフレーム５７とが、所定の間隔を存して配置されており、前框５１は、その中央部の数個所、例えば３個所において、フレーム５７との間に介物５８を介在させた状態で、フレーム５７の孔５７ａに後方から通したねじ５９により、フレーム５７に固定されている。
【０００４】
【発明が解決しようとする課題】
上述したように、前框５１は、ラワン合板などの木質材で構成されるとともに、左右方向に長く延びているため、自身の剛性はあまり大きくない。一方、上述した従来の取付構造は、基本的には、前框５１の左右の両端部を腕木５３にねじ止めするものであり、これに加えて、それらの間の数個所をこれと間隔を隔てたフレーム５７に介物５８を介してねじ止めしているにすぎない。このため、腕木５３やフレーム５７との連結強度が小さく、前框５１の剛性を十分に確保できないことから、前框５１に上下方向の反りやたわみが生じやすいという欠点がある。
【０００５】
また、前框５１は、前述したように、フレーム５７などと連結されていて、弦の張力を支持するバック機構の一部を構成するとともに、前框５１の下側の部分は、鍵盤やアクションが配置される関係上、ピン板５３と棚板との間が広く空いているため、剛性が不足しがちな部分である。このため、フレーム５７などとの連結強度が小さいと、前框５１がバック機構の弱点となってしまい、弦の大きな張力や温湿度の変化による影響などにより、前框５１が大きくたわむことによって、調律が不安定になるなどの不具合が生じてしまう。
【０００６】
さらに、従来の取付構造では、前框５１を取り付けるのに、ダボ５５や介物５８を用いる必要があるため、部品点数および組立工数が増大するという欠点もある。
【０００７】
本発明は、このような課題を解決するためになされたものであり、部品点数を削減できるとともに、前框を強固に取り付けることができ、それによりバック機構の剛性を高めることができるグランドの前框の取付構造を提供することを目的としている。
【０００８】
【課題を解決するための手段】
この目的を達成するため、本発明は、積揚の左右の前端部にそれぞれ形成した左右の腕木間に渡されるように設けられる前框を取り付けるためのグランドピアノの前框の取付構造であって、左右の腕木の後ろ側に、両端部を積揚の左右の前部に固定したピン板が左右方向に延びるように設けられ、このピン板にフレームが固定されているとともに、前框の下部に、後方および下方に開口する切欠が、長さ方向に連続的に延びるように形成され、前框は、切欠に嵌合したピン板の前端部に載置された状態で、接着および／または下方からのねじ止めによってピン板の前端部に固定されているとともに、両端部が左右の腕木の背面にねじ止めされていることを特徴としている。
【０００９】
このグランドピアノの前框の取付構造では、従来と同様、前框の左右の両端部は、左右の腕木の背面にねじ止めされている。また、前框の下部には、後方および下方に開口する切欠が、長さ方向に連続的に延びるように形成されており、この切欠にピン板の前端部が嵌合していることによって、前框は、ピン板の前端部に載置・支持された状態で、これに接着および／または下方からのねじ止めによって固定されている。すなわち、前框は、その切欠にピン板が嵌合していることにより、長さ方向の全体にわたって連続的にピン板に載置・支持された状態で、ピン板に固定されている。したがって、前框をピン板に強固に取り付けることができ、その結果、ピン板を介した積揚およびフレームとの連結強度や一体性が、従来の場合よりも大幅に向上することで、バック機構の剛性を高めることができる。
【００１０】
また、この取付構造では、前框の下部の切欠にピン板が嵌合するので、前框の下部を位置決めするための従来のダボ５５およびダボ穴５１ａ、５２ａや、フレーム５７との間の隙間を埋めるための従来の介物５８は不要になり、その分、部品点数、組立工数および加工工数を削減することができる。さらに、前框の切欠は、後方および下方に開口しているので、これを比較的容易に形成することができる。
【００１１】
【発明の実施の形態】
以下、本発明の好ましい実施形態を、図面を参照しながら説明する。図１および図２は、本発明を適用したグランドピアノの前框の取付構造を示している。この取付構造１では、積揚２および腕木３は、従来と同様に構成されており、積揚２の左右の前端部に左右の腕木３、３（一方のみ図示）が一体に形成されている。具体的には、積揚２の各前端部の上面に側左右板（図示せず）を接着した後、それらの前面や背面をＮＣ切削機（図示せず）で切削することによって、所定の形状およびサイズの腕木３が形成される。
【００１２】
前框４は、従来と同様、ラワン合板などで構成され、左右方向に延びていて、その両端部が左右の腕木３、３の切削された平坦な背面に当接した状態で、それらの上隅部がねじ５、５（一方のみ図示）でそれぞれ固定されている。また、前框４の下部には、その長さ方向の全体にわたって連続的に延びるように、切欠６が形成されている。この切欠６は、前框４の後方および下方に開口し、所定の高さおよび幅の矩形の断面を有していて、前框４の下部の切欠６以外の部分が突出部７になっている。切欠６の形成は、図３（ａ）に示すように、断面矩形の前框４の素材４ａを切削することによって、あるいは、同図（ｂ）に示すように、異なる所定のサイズの２つの素材４ｂ、４ｃを組み合わせ、接着することによって、行われる。
【００１３】
ピン板８は、従来と同様、カエデなどから成る複数の堅い無垢板を貼り合わせた合板構成のものであり、腕木３の後ろ側に左右方向に延びるように配置され、その両端部が、積揚２の左右の前部の上面に接着・固定されている。ピン板８には、フレーム９が載置され、固定されている。また、ピン板８は、従来よりも前側に延びていて、その前端部が前框４の切欠６にぴったり嵌合している。具体的には、ピン板８は、その前端面が前框４の突出部７の背面に当接するとともに、前端部の上面が切欠６の天面に当接することによって、前框４を載置・支持している。そして、前框４は、以上のようにピン板８に載置・支持された状態で、ピン板８との当接面が接着されるとともに、ピン８の下方から通した複数のねじ１０（１つのみ図示）によって、ピン板８に固定されている。
【００１４】
以上の構成の取付構造１による前框４は、例えば、次のような手順で取り付けられる。すなわち、まず、積揚２に、前述した側左右板およびピン板８を取り付けた状態で、ＮＣ切削機を用いて、腕木３を形成するとともに、ピン板８の前面を切削する。この場合、ＮＣ切削機の刃の幅を、腕木３の背面とピン板８の前面との間に形成すべき隙間の大きさに対応して適切に設定することによって、腕木３の背面の切削とピン板８の前面の切削とを同時に行えるとともに、ピン板８の前面の位置出しを適切に行うことができる。
【００１５】
次いで、前述したようにして作製した前框４の切欠６の内壁面に接着剤を塗布した後、その突出部７の左右の端部を各腕木３とピン板８との間の隙間に差し込むとともに、切欠６をピン板８に嵌合させることによって、前框４をピン板８に載置・支持させる。この状態で、前框４の両端部を腕木３の背面にねじ５で固定する。次いで、通常の組立工程に従い、棚板（図示せず）を取り付けるべく積揚２などを上下反転させた際に、複数のねじ１０により、前框４をピン板８に固定する。これにより、ねじ１０の締付け作業を容易に行うことができる。次に、積揚２などを再び上下反転させた後、フレーム９をピン板８に載せて固定し、前框４の取付を完了する。
【００１６】
以上のように、本実施形態の前框４の取付構造１によれば、前框４は、その切欠６にピン板８が嵌合していることにより、長さ方向の全体にわたって連続的にピン板８に載置・支持されており、その状態で、ピン板８に接着されるとともに、ねじ止めされている。したがって、前框４をピン板８に強固に取り付けることができ、その結果、ピン板８を介した積揚２およびフレーム９との連結強度や一体性が、従来の場合よりも大幅に向上することで、バック機構の剛性を高めることができる。これにより、例えば、弦の大きな張力や温湿度の変化による影響などによる前框４のたわみを抑制でき、調律などを安定して行うことができる。
【００１７】
また、この取付構造１では、前框４の下部の切欠６にピン板８が嵌合するので、前框の下部を位置決めするための従来のダボ５５およびダボ穴５１ａ、５２ａや、フレーム５７との間の隙間を埋めるための従来の介物５８は不要になり、その分、部品点数、組立工数および加工工数を削減することができる。さらに、前框４の切欠６は、矩形の断面を有し、後方および下方に単純に開口しているので、これを比較的容易に形成することができる。
【００１８】
図４および図５は、本実施形態の取付構造１において、前框４がロック機構付きの場合の取付例を示している。このロック機構は、前框４の上面に固定された錠座金１１と、前框４に上下方向に移動自在に設けられた遊子１２と、上口棒に設けられた錠前（ともに図示せず）などで構成されている。遊子１２は、上下方向に延びる遊子丸棒１２ａと、その上端部に固定された遊子角棒１２ｂと、下端部にねじ止めされた遊子付金１２ｃと、遊子角棒１２ｂを上方に付勢する錠前スプリング１２ｄなどで構成されている。図示しないが、従来の前框の取付構造では、遊子丸棒１２ａは前框のみを貫通するとともに、遊子付金１２ｃは前框に形成した孔に収容されている。これに対して、両図に示す例では、本実施形態において前框４がピン板８に載置されている関係上、ピン板８に上下方向に貫通する孔８ａが形成され、この孔８ａに、遊子丸棒１２ａの下端部が通されるとともに、遊子付金１２ｃが収容されるようになっている。
【００１９】
したがって、ロック機構の遊子１２を従来と同様に取り付けることができる。このロック機構の動作は、概ね次のとおりである。すなわち、非ロック状態においては、遊子１２は、錠前スプリング１２ｄのばね力により上側の所定位置に保持されており、遊子角棒１２ｂが錠座金１１の角孔１１ａに嵌合し、これと上面が面一の状態になっているとともに、遊子付金１２ｃはピン板８の孔８ａ内に退避している（図５の状態）。この状態から、上口棒の錠前に鍵を差し込んで操作すると、錠前のかんぬき（図示せず）が下方に突出して、遊子角棒１２ｂを押圧し、錠前スプリング１２ｄのばね力に抗して遊子１２を押し下げることによって、かんぬきが錠座金１１の角孔１１ａに嵌合する。これにより、上口棒が前框４に対してロックされ、上口棒を一体に取り付けた大屋根（図示せず）が閉鎖状態に保持される。また、これと同時に、遊子付金１２ｃがピン板８から下方に突出して、閉鎖状態にある鍵盤蓋の蓋後付（ともに図示せず）の背面に近接することによって、鍵盤蓋が閉鎖状態にロックされる。以上のように、ロック機構の動作を従来と同様に行うことができる
【００２０】
なお、本発明は、説明した実施形態に限定されることなく、種々の態様で実施することができる。例えば、実施形態では、ピン板８への前框４の固定を、接着および下方からのねじ止めを併用して行っているが、これらの一方のみで行ってもよい。前述したように、前框４は、その切欠６にピン板８が嵌合していることにより、長さ方向の全体にわたって連続的にピン板８に載置・支持されているので、接着またはねじ止めの一方だけで固定した場合でも、前框４をピン板８に十分強固に取り付けることができる。また、実施形態で示した前框４の具体的な取付手順はあくまで例示であり、これに限られないことはもちろんである。その他、本発明の趣旨の範囲内で、細部の構成を適宜、変更することが可能である。
【００２１】
【発明の効果】
以上のように、本発明のグランドピアノの前框の取付構造は、部品点数を削減できるとともに、前框を強固に取り付けることができ、それによりバック機構の剛性を高めることができるなどの効果を有している。
【図面の簡単な説明】
【図１】本発明の一実施形態によるグランドピアノの前框の取付構造を示す側面図である。
【図２】図１の取付構造の正面図である。
【図３】前框の作製方法の２つの例を示す図である。
【図４】前框がロック機構付きの場合の取付例を示す分解斜視図である。
【図５】図４に対応する側断面図である。
【図６】従来のグランドピアノの前框の取付構造を示す側面図である。
【図７】図６の取付構造の正面図である。
【符号の説明】
１  前框の取付構造
２  積揚
３  腕木
４  前框
５  ねじ
６  切欠
８  ピン板
９  フレーム
１０  ねじ
【図１】
0004424800.tif 000002
【図２】
0004424800.tif 000003
【図３】
0004424800.tif 000004
【図４】
0004424800.tif 000005
【図５】
0004424800.tif 000006
【図６】
0004424800.tif 000007
【図７】
0004424800.tif 000008